(57)【要約】【課題】ＣＲＴ表示装置側の構成の簡素化と低コスト化を図りながら、電子ビームによるＣＲＴ表示面の焼き付きを効果的に防止可能にする。【解決手段】カメラ３０には、表示する映像の位置情報及び映像生成開始情報、並びに係数情報を生成する位置情報生成部３２と、前記映像生成開始情報と撮像部３１からの撮像出力とを受けて撮影された映像の輝度情報を生成する輝度情報生成部３３と、保存してある制御値に基づいて前記位置情報を可変して出力する位置情報可変部３４と、前記計数情報に基づいて位置情報可変部３４に保存してある制御値を増減する制御値可変部３５とを設けている。これにより、ＣＲＴ表示装置１０へ送出する位置情報を所定周期で変化させ、輝度情報と位置情報との時間的相対関係を定期的に変化させることでＣＲＴ表示面上での電子ビームの照射位置を所定周期毎に変化させて焼き付きを防止する。【選択図】　図１
2004133293.tif 000002
【特許請求の範囲】
【請求項１】
ＣＲＴ表示装置の焼き付きを防止するＣＲＴ焼き付き防止装置であって、
撮像部で撮影した映像の表示情報を前記ＣＲＴ表示装置へ送出するカメラに、
前記表示情報として輝度情報及び位置情報を生成し、前記輝度情報と前記位置情報との時間的相対関係を定期的に変更する位置情報変更手段を設けたことを特徴とするＣＲＴ焼き付き防止装置。
【請求項２】
前記位置情報変更手段は、
前記輝度情報を生成するための映像生成開始情報と前記位置情報とを生成出力する位置情報生成部と、
前記位置情報生成部からの映像生成開始情報を受けて、前記撮像部により撮影した映像の輝度情報を生成する輝度情報生成部と、
前記位置情報生成部からの位置情報を受けて、保存してある制御値に基づいて前記位置情報を可変する位置情報可変部と、
前記位置情報可変部の制御値を所定周期で増減させる制御値可変部と、
を有してなることを特徴とする請求項１に記載のＣＲＴ焼き付き防止装置。
【請求項３】
ＣＲＴ表示装置の焼き付きを防止するＣＲＴ焼き付き防止装置であって、
撮像部で撮影した映像の表示情報を前記ＣＲＴ表示装置へ送出するカメラに、
前記表示情報として輝度情報及び位置情報を生成し、前記輝度情報を生成する前記撮像部における撮像素子の範囲を定期的に変更する輝度情報範囲変更手段を設けたことを特徴とするＣＲＴ焼き付き防止装置。
【請求項４】
前記輝度情報範囲変更手段は、
前記輝度情報を生成するための映像生成開始情報と前記位置情報とを生成出力する位置情報生成部と、
前記位置情報生成部からの映像生成開始情報を受けて、保存してある制御値に基づいて前記映像生成開始情報を可変する映像開始情報可変部と、
前記映像開始情報可変部の制御値を所定周期で増減させる制御値可変部と、
前記映像開始情報可変部からの映像生成開始情報に基づいて前記撮像部における撮像素子のうちの特定範囲を選択し、前記撮像部により撮影した映像の輝度情報を生成する輝度情報生成部と、
を有してなることを特徴とする請求項３に記載のＣＲＴ焼き付き防止装置。
【発明の詳細な説明】
【０００１】
【発明の属する技術分野】
本発明は、監視用テレビシステム等のＣＲＴ表示面に電子ビームによって焼き付きが発生するのを防止するＣＲＴ焼き付き防止装置に関する。
【０００２】
【従来の技術】
監視用テレビシステムは、例えば図５に示すように、カメラ１００とＣＲＴ表示装置１１０とが固定的に接続されて使われることが多い。また、用途によりさらに別のＣＲＴ表示装置１２０が従属接続され、表示装置１１０に表示されるものと同じ画面を監視できるようにしたものもある。また、このような監視用テレビシステムでは、カメラ１００は取り付け装置により取り付け位置が固定され、ＣＲＴ表示装置１１０には常時同じ対象物や場所の画面が映し出されることが多い。従って、通常のテレビ受像機等よりもＣＲＴ表示装置１１０のＣＲＴ表示面に焼き付きが発生する可能性が高い。そこで、監視用テレビシステムにおいてＣＲＴ焼き付き防止装置を用いることが望まれる。
【０００３】
従来のＣＲＴ焼き付き防止装置としては、コンピュータの表示装置やテレビジョンへの使用を意図して提案された、例えば特開平５−７２９８７号公報（特許文献１）及び特開平１１−１５４２２号公報（特許文献２）に記載のものが知られている。
【０００４】
図６は従来のＣＲＴ焼き付き防止装置の構成を示すブロック図である。ＣＲＴ焼き付き防止装置は、前記カメラ１００に対応する表示情報生成部１０１と、ＣＲＴ表示装置１１０とを備えてなる。
【０００５】
この従来例のＣＲＴ焼き付き防止装置では、まず、表示情報生成部１０１においてＣＲＴ１０２に表示するための輝度情報と位置情報を含む表示情報が生成され、その表示情報がＣＲＴ表示装置１１０のＣＲＴ制御部１０３に送られる。このＣＲＴ制御部１０３は与えられた表示情報に基づき電子ビームの制御情報を電子銃部１０４に出力する。また、ＣＲＴ制御部１０３は、表示情報の位置情報を偏向コイル部１０５に直接に送らずに状態保存部１０８に送り、状態保存部１０８に保存してある制御値で補正した上で偏向コイル部１０５に送る。一方、状態制御部１０７は、一定時間を測定するタイマ機能を有し、電源部１０６の交流周波数を計数する。そして、状態制御部１０７がある一定時間を測定すると、状態保存部１０８に保存してある制御値を増減させる制御を行う。この動作によって、状態保存部１０８は一定時間毎に周期的に変化する位置情報を出力する。
【０００６】
例えば、状態保存部１０８に保存している制御値が前回からΔＳだけ増加しているとすると、電子銃部１０４から偏向コイル部１０５による電界の影響を受けながら電子ビームがＣＲＴ表示面１０９に到達する時には、ΔＳに相当する分だけ電子ビームの到達位置にずれが生じることになる。このずれによって、ＣＲＴ表示面１０９上の特定の位置に長時間にわたり同じ図形や文字が表示されることを防止することができる。
【０００７】
【特許文献１】
特開平５−７２９８７号公報
【特許文献２】
特開平１１−１５４２２号公報
【０００８】
【発明が解決しようとする課題】
しかしながら、上述したような従来のＣＲＴ焼き付き防止装置は、ＣＲＴ表示面に到達する電子ビームに一定時間毎にずれを生じさせるようになっており、そのためにＣＲＴ表示装置１１０側に状態制御部１０７や状態保存部１０８といった回路を設ける必要がある。実際の監視用テレビシステムの場合、ＣＲＴ表示装置は相対的に廉価に構成されるため、ＣＲＴ表示装置に余分な回路を付加するとコストの上昇を招くためあまり好ましくない。また、図５に示したように複数のＣＲＴ表示装置を接続する場合には、ＣＲＴ表示装置の台数分のコスト上昇となる。このように、従来のＣＲＴ焼き付き防止装置を監視用テレビシステムなどにそのまま適用すると、ＣＲＴ表示装置の構成の複雑化やコスト上昇を招いてしまう問題点が生じる。
【０００９】
本発明は、上記課題を解決するためになされたもので、その目的は、ＣＲＴ表示装置側の構成の簡素化と低コスト化を図りながら、電子ビームによるＣＲＴ表示面の焼き付きを効果的に防止できるＣＲＴ焼き付き防止装置を提供することにある。
【００１０】
【課題を解決するための手段】
本発明に係るＣＲＴ焼き付き防止装置は、ＣＲＴ表示装置の焼き付きを防止するＣＲＴ焼き付き防止装置であって、撮像部で撮影した映像の表示情報を前記ＣＲＴ表示装置へ送出するカメラに、前記表示情報として輝度情報及び位置情報を生成し、前記輝度情報と前記位置情報との時間的相対関係を定期的に変更する位置情報変更手段を設けたことを特徴とする。
【００１１】
上記構成によれば、ＣＲＴ表示装置へ送出する輝度情報と位置情報との時間的相対関係を定期的に変更することによって、ＣＲＴ表示装置側に付加回路を設けることなく、ＣＲＴ表示面上での電子ビームの照射位置を所定周期毎に変化させることができる。このため、ＣＲＴ表示装置側の構成の簡素化と低コスト化を図りながら、電子ビームによるＣＲＴ表示面の焼き付きを効果的に防止できる。
【００１２】
また、前記位置情報変更手段は、前記輝度情報を生成するための映像生成開始情報と前記位置情報とを生成出力する位置情報生成部と、前記位置情報生成部からの映像生成開始情報を受けて、前記撮像部により撮影した映像の輝度情報を生成する輝度情報生成部と、前記位置情報生成部からの位置情報を受けて、保存してある制御値に基づいて前記位置情報を可変する位置情報可変部と、前記位置情報可変部の制御値を所定周期で増減させる制御値可変部と、を有してなることを特徴とする。
【００１３】
上記構成によれば、ＣＲＴ表示装置へ送出する位置情報を所定周期で変化させることで、輝度情報と位置情報との時間的相対関係を定期的に変化させることが可能であり、ＣＲＴ表示面上での電子ビームの照射位置を所定周期毎に変化させることができる。このため、ＣＲＴ表示装置側に回路を付加する必要がなく、ＣＲＴ表示装置の構成の簡素化と低コスト化を図りながら、電子ビームによるＣＲＴ表示面の焼き付きを効果的に防止できる。
【００１４】
本発明に係るＣＲＴ焼き付き防止装置は、ＣＲＴ表示装置の焼き付きを防止するＣＲＴ焼き付き防止装置であって、撮像部で撮影した映像の表示情報を前記ＣＲＴ表示装置へ送出するカメラに、前記表示情報として輝度情報及び位置情報を生成し、前記輝度情報を生成する前記撮像部における撮像素子の範囲を定期的に変更する輝度情報範囲変更手段を設けたことを特徴とする。
【００１５】
上記構成によれば、ＣＲＴ表示装置へ送出する輝度情報を生成する際、輝度情報として用いる撮像部における撮像素子の範囲を定期的に変更することによって、ＣＲＴ表示装置側に付加回路を設けることなく、偏向コイル部に送られる位置情報に対し電子銃部に送られる輝度情報の範囲を所定周期毎に変化させ、ＣＲＴ表示面上の同じ位置における電子ビームの照射量を所定周期毎に変化させることができる。このため、ＣＲＴ表示装置側の構成の簡素化と低コスト化を図りながら、電子ビームによるＣＲＴ表示面の焼き付きを効果的に防止できる。
【００１６】
また、前記輝度情報範囲変更手段は、前記輝度情報を生成するための映像生成開始情報と前記位置情報とを生成出力する位置情報生成部と、前記位置情報生成部からの映像生成開始情報を受けて、保存してある制御値に基づいて前記映像生成開始情報を可変する映像開始情報可変部と、前記映像開始情報可変部の制御値を所定周期で増減させる制御値可変部と、前記映像開始情報可変部からの映像生成開始情報に基づいて前記撮像部における撮像素子のうちの特定範囲を選択し、前記撮像部により撮影した映像の輝度情報を生成する輝度情報生成部と、を有してなることを特徴とする。
【００１７】
上記構成によれば、輝度情報生成部に送る映像生成開始情報を所定周期で変化させることで、輝度情報を生成するための撮像部における撮像素子の特定範囲を映像生成開始情報によって定期的に変更させながら選択することが可能であり、ＣＲＴ表示面上の同じ位置における電子ビームの照射量を所定周期毎に変化させることができる。このため、ＣＲＴ表示装置側に回路を付加する必要がなく、ＣＲＴ表示装置の構成の簡素化と低コスト化を図りながら、電子ビームによるＣＲＴ表示面の焼き付きを効果的に防止できる。
【００１８】
【発明の実施の形態】
以下、図面を参照して本発明の実施形態を説明する。
図１は本発明の第１実施形態に係るＣＲＴ焼き付き防止装置の構成を示すブロック図である。
【００１９】
本実施形態に係るＣＲＴ焼き付き防止装置は、表示情報生成部としてのカメラ３０と、このカメラ３０で撮影した被写体の映像を表示するＣＲＴ表示装置１０とを有して構成される。本実施形態のＣＲＴ焼き付き防止装置は、図５に示すカメラ１００とＣＲＴ表示装置１１０、１２０とを備えた監視用テレビシステムなどに用いるのに好適である。
【００２０】
カメラ３０は、被写体像を撮像する撮像部３１と、表示する映像の位置情報及び定期的な映像生成開始情報、並びに係数情報を生成して出力する位置情報生成部３２と、位置情報生成部３２からの映像生成開始情報と撮像部３１からの撮像出力とを受けて、撮影された映像の輝度情報を生成して出力する輝度情報生成部３３とを備えている。また、カメラ３０は、位置情報生成部３２からの位置情報を受けて、保存してある制御値に基づいて前記位置情報を第１のアルゴリズムで可変した位置情報を生成して出力する位置情報可変部３４と、位置情報生成部３２から出力される計数情報に基づいて位置情報可変部３４に保存してある制御値を第２のアルゴリズムで増減する制御を行う制御値可変部３５とを備えている。
【００２１】
ＣＲＴ表示装置１０は、電子ビームを出射する電子銃部１４を有するＣＲＴ１２と、電子銃部１４から出射される電子ビームを偏向する複数の偏向コイル部１５と、カメラ３０からの輝度情報及び位置情報を受けて偏向コイル部１５に制御信号を出力し、ＣＲＴ１２のＣＲＴ表示面１９に対する電子銃部１４からの電子ビームの照射位置を制御するＣＲＴ制御部１３とを備えている。
【００２２】
次に、第１実施形態のＣＲＴ焼き付き防止装置の動作を説明する。まず、位置情報生成部３２は、映像生成開始情報を輝度情報生成部３３に送ると同時に、制御値可変部３５に計数情報を送る。撮像部３１に投影された映像は、輝度情報生成部３３において前記映像生成開始情報に基づいて輝度情報に変換される。
【００２３】
また、位置情報生成部３２は、位置情報可変部３４に位置情報を送り、位置情報可変部３４は、保存してある制御値を基に位置情報生成部３２からの位置情報を第１のアルゴリズムによって可変した位置情報を生成して出力する。制御値可変部３５は、位置情報生成部３２からの計数情報を基に位置情報可変部３４に保存してある制御値を第２のアルゴリズムによって増減させる。この動作によって、位置情報可変部３４は所定周期で増減する制御値を保持し、この制御値の増減に基づき所定周期で変化する位置情報を出力する。
【００２４】
従って、カメラ３０からは上記輝度情報と位置情報とが表示情報としてＣＲＴ表示装置１０のＣＲＴ制御部１３に送られる。ＣＲＴ制御部１３は、カメラ３０から与えられた輝度情報を電子銃部１４に送る。また、ＣＲＴ制御部１３は各偏向コイル部１５に対して位置情報に基づく制御信号を送る。このとき、位置情報可変部３４によって増減した位置情報に基づく制御信号が偏向コイル部１５に送られるため、電子銃部１４からＣＲＴ表示面１９に照射される電子ビームの偏向量が変化し、ＣＲＴ表示面１９上での電子ビームの照射位置が所定周期毎に変化する。この結果、偏向コイル部１５に送られる位置情報の変化によってＣＲＴ表示面１９上の常に同じ位置に電子ビームが照射されることがなくなるため、ＣＲＴ表示面１９の焼き付きが防止される。
【００２５】
このように第１実施形態では、カメラ側に映像表示のための位置情報を所定周期で変化させる手段を設けたため、ＣＲＴ表示装置側には余分な回路を付加する必要がなく、ＣＲＴ表示装置の構成の簡素化と低コスト化を図りながら、ＣＲＴ表示面の焼き付きを効果的に防止することができる。
【００２６】
図２は本発明の第２実施形態に係るＣＲＴ焼き付き防止装置の構成を示すブロック図、図３はカメラの撮像部の概略構成を示す説明図、図４は撮像部の撮像素子における撮像範囲を示す説明図である。
【００２７】
第２実施形態のＣＲＴ焼き付き防止装置は、前述した第１実施形態におけるカメラの構成を変更したものである。第１実施形態と同様の構成要素については同一符号を付して説明を省略する。
【００２８】
第２実施形態におけるカメラ５０は、被写体像を撮像する撮像部３１と、表示する映像の位置情報及び定期的な映像生成開始情報、並びに係数情報を生成して出力する位置情報生成部３２と、位置情報生成部３２からの映像生成開始情報を受けて、保存してある制御値に基づいて前記映像生成開始情報を第３のアルゴリズムで可変した映像生成開始情報を生成して出力する映像開始情報可変部５２と、位置情報生成部３２から出力される計数情報に基づいて映像開始情報可変部５２に保存してある制御値を第４のアルゴリズムで増減する制御を行う制御値可変部５３とを備えている。
【００２９】
カメラ５０の撮像部３１は、図３に示すように、レンズ４１と撮像素子４２とを有して構成される。撮像素子４２は、微細な受光セル４３を格子状に配列したもので形成されている。
【００３０】
また、カメラ５０は、映像開始情報可変部５２からの映像生成開始情報に基づいて、図４に示すように撮像部３１における撮像素子４２の受光セル４３のうちの特定の範囲を選択し、撮像部３１からの撮像出力より撮影された映像の輝度情報を生成して出力する輝度情報生成部５１を備えている。
【００３１】
次に、第２実施形態のＣＲＴ焼き付き防止装置の動作を説明する。まず、位置情報生成部３２は、映像生成開始情報を輝度情報生成部５１に直接送らずに映像開始情報可変部５２に送り、同時に、制御値可変部５３に計数情報を送る。また、位置情報生成部３２からは位置情報が出力される。映像開始情報可変部５２は、保存してある制御値を基に位置情報生成部３２からの映像生成開始情報を第３のアルゴリズムによって可変した映像生成開始情報を生成して輝度情報生成部５１に出力する。輝度情報生成部５１は、撮像部３１の受光セル４３のうちの特定の範囲を前記映像生成開始情報に基づいて選択し、撮像部３１に投影された映像を輝度情報に変換する。制御値可変部５３は、位置情報生成部３２からの計数情報を基に映像開始情報可変部５２に保存してある制御値を第４のアルゴリズムによって増減させる。この動作によって、映像開始情報可変部５２は所定周期で増減する制御値を保持し、この制御値の増減に基づき所定周期で変化する映像生成開始情報を出力する。
【００３２】
図４は撮像部３１において、映像生成開始情報に基づいて選択される受光セル４３の範囲を説明するものである。撮像素子４２の受光セル４３の全範囲Ｐに対して、例えばある時点においては第１の映像生成開始情報に基づいて第１の撮影範囲Ｑが選択され、別の時点においては第２の映像生成開始情報に基づいて第２の撮影範囲Ｒが選択される。ここで、本実施形態においては、撮像部３１の撮像素子４２の受光セル４３は、ＣＲＴ表示装置１０での表示に必要な数より若干多い受光セル数を有するものとする。
【００３３】
従って、カメラ５０からは上記輝度情報と位置情報とが表示情報としてＣＲＴ表示装置１０のＣＲＴ制御部１３に送られる。ＣＲＴ制御部１３は、カメラ３０から与えられた輝度情報を電子銃部１４に送る。また、ＣＲＴ制御部１３は各偏向コイル部１５に対して位置情報に基づく制御信号を送る。このとき、映像開始情報可変部５２によって増減した映像生成開始情報に基づき、撮影範囲を変化させた受光セルの輝度情報がＣＲＴ制御部１３に送られ、電子銃部１４ではこの撮影範囲が変化した輝度情報に基づいてＣＲＴ表示面１９に電子ビームが照射される。この結果、偏向コイル部１５に送られる位置情報に対し電子銃部１４に送られる輝度情報の範囲が所定周期毎に変化することにより、ＣＲＴ表示面１９上の同じ位置における電子ビームの照射量が変化するため、ＣＲＴ表示面１９の焼き付きが防止される。
【００３４】
このように第２実施形態では、カメラ側に映像表示のための輝度情報の生成範囲を所定周期で変化させる手段を設けたため、ＣＲＴ表示装置側には余分な回路を付加する必要がなく、ＣＲＴ表示装置の構成の簡素化と低コスト化を図りながら、ＣＲＴ表示面の焼き付きを効果的に防止することができる。
【００３５】
なお、図１に示した第１実施形態では、位置情報可変部３４、制御値可変部３５及び位置情報生成部３２の回路のいずれもがカウンタ回路等で構成できるため、各々の回路に共通部分を持たせて合理的に設計でき、さらにコストを低減できる。また、図２に示した第２実施形態では、受光セルをＣＲＴ表示装置に必要な数よりさらに多いものとすることにより、カメラの向きを機械的に回転させるのと類似の効果を、回転駆動機構を用いずに実現することも可能である。
【００３６】
また、上述した各実施形態は、特に、１つのカメラで撮影した映像を複数台のＣＲＴ表示装置で同時に表示して監視する監視用テレビシステムに適用した場合に、各々のＣＲＴ表示装置の簡素化及び低コスト化によってコスト低減効果をより有効に得ることができる。
【００３７】
【発明の効果】
以上説明したように本発明によれば、ＣＲＴ表示装置側の構成の簡素化と低コスト化を図りながら、電子ビームによるＣＲＴ表示面の焼き付きを効果的に防止できるＣＲＴ焼き付き防止装置を提供することができる。
【図面の簡単な説明】
【図１】本発明の第１実施形態に係るＣＲＴ焼き付き防止装置の構成を示すブロック図
【図２】本発明の第２実施形態に係るＣＲＴ焼き付き防止装置の構成を示すブロック図
【図３】第２実施形態に係るカメラの撮像部の概略構成を示す説明図
【図４】第２実施形態に係る撮像部の撮像素子における撮像範囲を示す説明図
【図５】本発明の実施形態が適用可能な監視用テレビシステムの概略構成を示す説明図
【図６】従来のＣＲＴ焼き付き防止装置の構成を示すブロック図
【符号の説明】
１０　ＣＲＴ表示装置
１２　ＣＲＴ
１３　ＣＲＴ制御部
１４　電子銃部
１５　偏向コイル部
１９　ＣＲＴ表示面
３０、５０　カメラ
３１　撮像部
３２　位置情報生成部
３３、５１　輝度情報生成部
３４　位置情報可変部
３５、５３　制御値可変部
５２　映像開始情報可変部
【図１】
2004133293.tif 000003
【図２】
2004133293.tif 000004
【図３】
2004133293.tif 000005
【図４】
2004133293.tif 000006
【図５】
2004133293.tif 000007
【図６】
2004133293.tif 000008